(57)【要約】【課題】  コンロ上方の空間に物品を収納するための天蓋上物品収納部を設けたものにおいて、天蓋の上方空間において、送風排気手段と物品収納手段とを余剰空間を生じることなく配置構成して、収納容積を増大し、収納利便性を向上させることができる。【解決手段】  換気装置付き厨房装置６は、調理台１上面のカウンター１３にコンロ２を組み込み設置し、該コンロ２の上方に換気装置１５を配置したものである。換気装置１５は、コンロ廃気捕集用の天蓋３を下位置に、廃気を吸引して屋外へ排出する送風機ユニット４を上位置に、それぞれ分離配置し、上記天蓋３と送風機ユニット４の間に、天蓋上物品収納部５を設けると共に、天蓋３と送風機ユニット４を空気連通する空気連絡通路７を天蓋上物品収納部の後方もしくは側方に設けて構成する。【選択図】        図１
2010276222.tif 000002
【特許請求の範囲】
【請求項１】
調理台上面のカウンターにはコンロを組み込み設置し、該コンロの上方に備えた換気装置は、コンロ廃気捕集用の天蓋を下位置に、廃気を吸引して屋外へ排出する送風機ユニットを上位置に、それぞれ分離配置し、上記天蓋と送風機ユニットの間に、天蓋上物品収納部を設けると共に、天蓋と送風機ユニットを空気連通する空気連絡通路を天蓋上物品収納部の後方もしくは側方に設けて構成したことを特徴とする換気装置付き厨房装置。
【請求項２】
天蓋の下面を、床面から１４００ｍｍ以上〜１６５０ｍｍ未満の高さ位置としたことを特徴とする請求項１記載の換気装置付き厨房装置。
【請求項３】
天蓋上物品収納部と送風ユニットを一体的に遮蔽する化粧板を備えて備えたことを特徴とする請求項１又は請求項２記載の換気装置付き厨房装置。
【請求項４】
天蓋上物品収納部の化粧板が縦もしくは横方向への引き戸であることを特徴とする１乃至請求項３のいずれか一項に記載の換気装置付き厨房装置。
【請求項５】
天蓋の下面の高さと隣接する吊戸棚の下面の高さを一致させたことを特徴とする請求項１乃至請求項４のいずれか一項に記載の換気装置付き厨房装置。
【請求項６】
天蓋上物品収納部が、天蓋と送風機ユニットとを連通する空気連絡通路、もしくは送風機ユニットと連通し、天蓋上物品収納部外から天蓋上物品収納部内を経て空気連絡通路もしくは送風機ユニットに到る通風構成を備えたことを特徴とする請求項１乃至請求項５のいずれか一項に記載の換気装置付き厨房装置。
【請求項７】
調理台の上面におけるコンロが露出する部分の側方に加熱調理機器を載置可能とする部分を設け、コンロ上方に位置する天蓋の側部を、上記調理台の上面の加熱調理機器を載置可能とした部分の上方まで延長したことを特徴とする請求項１乃至請求項６のいずれか一項に記載の換気装置付き厨房装置。
【請求項８】
上記天蓋の上方であって、送風機ユニットもしくは天蓋上物品収納部の側方に副物品収納部を天蓋の上方から天井下に渡って構成したことを特徴とする請求項１乃至請求項７のいずれか一項に記載の換気装置付き厨房装置。
【請求項９】
調理台の手前に手前作業スペースを備え、この手前作業スペースの奥方にコンロの発熱体を備え、平面視において天蓋の前端位置を発熱体の前端位置からコンロ天板プレート前端の間としたことを特徴とする請求項１乃至請求項８のいずれか一項に記載の換気装置付き厨房装置。
【発明の詳細な説明】
【技術分野】
【０００１】
本発明は、換気装置付き厨房装置に関するものである。
【背景技術】
【０００２】
換気装置付き厨房装置は、調理台に備えたコンロの上方に、コンロ廃気捕集用の天蓋を配置し、天蓋の上方に送風機ユニットを配置して上記天蓋で捕集した廃気を屋外に排出するようにしている。このような換気装置付き厨房装置において、厨房装置全体の収納容積を増加させるために、コンロの上方位置に物品収納部を設けるものが特許文献１、特許文献２等により知られている。
【０００３】
特許文献１に示された従来例は、換気装置の天蓋の上に物品収納部と送風機ユニットを前後方向に並列配置構成している。
【０００４】
また、特許文献２に示された従来例は、天蓋の上に物品収納部と送風機ユニットを左右方向並列配置構成している。
【０００５】
ところで、換気装置としてのコンロ廃気捕集性能に関しては、コンロから天蓋までの高さ位置が高い場合、換気装置の捕集力が小さくなることは自明のことである。
【０００６】
また、電磁誘導加熱調理機器を含む電気コンロは、ガスコンロに比べて加熱時の上昇気流が少なく、天蓋高さ位置が高い場合、換気装置の廃気捕集力が小となるため、天蓋高さ位置を低くすることが求められている。
【０００７】
しかしながら、廃気捕集性能を増大させることを目的として、上記従来例１，２の様態において、天蓋の高さ位置を低くした場合、天蓋上面から天井面までの空間の上下長さが必然的に長くなり、前記の物品収納部の高さ寸法を拡大するのみの構成とすれば、前記の物品収納部の前方もしくは側方に配置される天蓋上の送風機ユニットと天井面との間には、大きな余剰空間が生じてしまうという問題があった。
【０００８】
また、上記いずれの従来例においても、天蓋上に設ける物品収納部の収納容積あるいは左右もしくは前後方向の寸法が左右又は前後に配置される送風機ユニットの容積により制限されるという問題があった。
【先行技術文献】
【特許文献】
【０００９】
【特許文献１】特開２００６−３２６２７１号公報
【特許文献２】特開２００４−１２０１９号公報
【発明の概要】
【発明が解決しようとする課題】
【００１０】
本発明は上記の従来例の問題点に鑑みて発明したものであって、コンロ上方の空間に物品を収納するための天蓋上物品収納部を設けたものにおいて、天蓋の上方空間において、送風排気手段と物品収納手段とを余剰空間を生じることなく配置構成して、収納容積を増大し、収納利便性を向上させることができる換気装置付き厨房装置を提供することを課題としている。
【課題を解決するための手段】
【００１１】
上記課題を解決するために、本発明は、以下のような構成になっている。
【００１２】
本発明の換気装置付き厨房装置６は、調理台１上面のカウンター１３にコンロ２を組み込み設置し、該コンロ２の上方に換気装置１５を配置したものである。換気装置１５は、コンロ廃気捕集用の天蓋３を下位置に、廃気を吸引して屋外へ排出する送風機ユニット４を上位置に、それぞれ分離配置し、上記天蓋３と送風機ユニット４の間に、天蓋上物品収納部５を設けると共に、天蓋３と送風機ユニット４を空気連通する空気連絡通路７を天蓋上物品収納部５の後方もしくは側方に設けて構成する。
【００１３】
このように、天蓋３と送風機ユニット４を上下階層に分離構成し、その間の位置に天蓋上物品収納部５を配置することで、天蓋上物品収納部５は、天蓋３上の平面視のどの部分を占めて構成してもよく、収納容積が拡大し、また収納部寸法も左右あるいは奥行方向ともに、収納物品の形態を制約することの少ない有効なものとなる。
【００１４】
また、従来のように、送風機ユニット４の高さと天蓋上物品収納部５の高さの違いにより生ずる送風機ユニット４上の余剰空間も解消される。
【００１５】
さらに、天蓋３と送風機ユニット４は、空気連絡通路７によってのみ空気連通され、天蓋上物品収納部５上への送風機ユニット４の配置自由度も大きくなっている。
【００１６】
また、天蓋３高さ位置が下がることにより、必然的に天蓋上物品収納部５の下部位置も低位置となるので、物品収納容積が拡大するとともに、該物品収納部内への出し入れ利便性が向上し、コンロ２上の高所収納として優れたものとなる。
【００１７】
併せて、天蓋３の高さ位置の変化に対しては、天蓋上物品収納部５、および空気連絡通路７の高さ寸法を変更とすることで、厨房装置のプラン選択自由度が高まり好適なものである。
【００１８】
また、天蓋３の下面を、床面から１４００ｍｍ以上〜１６５０ｍｍ未満の高さ位置にすることが好ましい。
【００１９】
このような構成とすることで、天蓋上物品収納部５の下面の位置がほぼ成人の顔正面位置となり、天蓋３上に位置する天蓋上物品収納部５の収納利便性が向上する。
【００２０】
また天蓋上物品収納部５と送風機ユニット４を一体的に隠蔽する化粧板９を備えることが好ましい。
【００２１】
このような構成とすることで、コンロ２の上方の天蓋３上に天蓋上物品収納部５と送風機ユニット４とを上下に多層に配置しても、コンロ２上方における意匠外観性が高まる。
【００２２】
また、化粧板９が縦もしくは横方向への引き戸であることが好ましい。
【００２３】
このような構成とすることで、顔前の天蓋上物品収納部の化粧板９が、開放時に手前側に突出しない構造にでき、使用利便性が向上する。ここで、化粧板９が天蓋上物品収納部５と送風機ユニット４を一体的に隠蔽するもので、引き戸の場合は、引き戸の戸袋部の上部を送風機ユニット４の点検窓として利用することができる。
【００２４】
また、天蓋３の下面の高さと隣接する吊戸棚１０の下面の高さを一致させることが好ましい。
【００２５】
このような構成とすることで、厨房装置６のコンロ２上方から側方の吊戸棚１０にかけて全体の外観意匠性が高まる。
【００２６】
また、天蓋上物品収納部５が、天蓋３と送風機ユニット４とを連通する空気連絡通路７、もしくは送風機ユニット４と連通し、天蓋上物品収納部５外から天蓋上物品収納部５内を経て空気連絡通路７もしくは送風機ユニット４に到る通風構成を備えることが好ましい。
【００２７】
これにより、単一の送風機ユニット４を利用して天蓋上物品収納部５内の換気ができ、天蓋上物品収納部５内に臭いや熱がこもらないようにできる。
【００２８】
また、調理台１の上面におけるコンロ２が露出する部分の側方に加熱調理機器２５を載置可能とする部分を設け、コンロ２上方に位置する天蓋３の側部を、上記調理台１の上面の加熱調理機器２５を載置可能とした部分の上方まで延長してあることが好ましい。
【００２９】
このような構成とすることで、コンロ２の側方の調理台１上面に載置した炊飯器、湯沸しポット、オーブン等の加熱調理機器２５からの熱気や水蒸気は、従来のように室内に再循環することなく、天蓋３で捕集され送風ユニット４を経て直接屋外にスムーズに排出することができる。
【００３０】
また、上記天蓋３の上方であって、送風機ユニット４もしくは天蓋上物品収納部５の側方に副物品収納部２２を天蓋の上方から天井下に渡って構成してあることが好ましい。
【００３１】
このような構成とすることで、コンロ２上方空間を物品収納として最大限活用することができる。
【００３２】
また、調理台１の手前に手前作業スペース１１を備え、この手前作業スペース１１の奥方にコンロ２の発熱体１２を備え、平面視において天蓋３の前端位置を、発熱体１２の前端位置とコンロ天板プレート１４の前端位置の間にすることが好ましい。
【００３３】
このような構成とすることで、天蓋３の位置を下げても、使用者の顔前において手前に突出することがなく、調理台１手前やコンロ２での加熱調理作業において、前かがみ姿勢になっても天蓋３が邪魔にならず、また、コンロ２上方における物品収納部への収納出し入れも、収納部高さが低くなって楽な作業が行え、また、物品収納部の化粧板が、手前に開放することがなく、更に作業性が良好となる。
【発明の効果】
【００３４】
本発明は、厨房装置に組み込まれたコンロ上方空間について、コンロの廃気を捕集する天蓋と送風機ユニットとの間に天蓋上物品収納部を配置し、上記天蓋と送風機ユニットを空気連通させて構成させている。
【００３５】
これにより、天蓋と天井面との間の空間に余剰空間を生じることなく最大限有効利用して換気および物品収納空間として活用することができる。
【００３６】
また、天蓋の高さ位置を下げることで、天蓋上物品収納空間は、使用者の手の届き易い位置に配置でき、厨房装置全体の収納容積も拡大し、利便性は更に好適なものとなる。
【図面の簡単な説明】
【００３７】
【図１】本発明の一実施形態の正面図である。
【図２】同上の図１のＡ−Ａ線の断面図である。
【図３】同上の図１のＢ−Ｂ線の断面図である。
【図４】同上の図１のＣ−Ｃ線の断面図である。
【図５】同上の図１のＤ−Ｄ線の断面図である。
【図６】同上の図１のＥ−Ｅ線の断面図である。
【図７】本発明の他の実施形態の正面図である。
【図８】同上の図７のＦ−Ｆ線の断面図である。
【図９】同上の図７のＧ−Ｇ線の断面図である。
【図１０】同上の図７のＨ−Ｈ線の断面図である。
【図１１】同上の図７のＩ−Ｉ線の断面図である。
【図１２】同上の図７のＪ−Ｊ線の断面図である。
【発明を実施するための形態】
【００３８】
以下、本発明を添付図面に示す実施形態に基いて説明する。
【００３９】
図１乃至図６には本発明の換気装置付き厨房装置６の一実施形態を示している。床面４０に設置した調理台１上にはカウンター１３が設けてあり、カウンター１３の一部にはコンロ２が設けてある。
【００４０】
添付図面に示す実施形態においては、複数のキャビネットを並設すると共に複数のキャビネットの上にカウンター１３を配設して調理台１を構成してあり、上記複数のキャビネットのうちの一つがコンロ用キャビネット１ａとなっている。
【００４１】
カウンター１３はコンロ用キャビネット１ａの上から側方のキャビネット１ｂの上にかけて連続的に配置している。ここで、カウンター１３は一枚ものが連続したものであってもよく、あるいは、カウンター１３が複数個に分離されているが統一的に整列配置されることで連続したものであってもよい。
【００４２】
コンロ２は、電磁誘導加熱調理機器、あるいはその他の電気、ガス熱源の加熱調理機器である。コンロ２は、薄箱状をした本体部１６の上面にコンロ天板プレート１４を設けて主体が構成してあり、カウンター１３の上記コンロ用キャビネット１ａに対応する部分に設けた開口部にコンロ２の主体部を嵌めつけて組み込むと共に、カウンター１３部分にコンロ２のコンロ天板プレート１４を露出させてある。コンロ天板プレート１４には複数の発熱体１２を配置している。また、カウンター１３の他の部分には図示を省略しているが厨房装置６を構成するシンクが設けてある。
【００４３】
カウンター１３の上方には換気装置１５と吊戸棚１０を設置している。
【００４４】
換気装置１５はカウンター１３のコンロ２を設けた部分の上方に配置してあり、該換気装置１５は、コンロ廃気を捕集するための天蓋３と、天蓋上物品収納部５と、送風機ユニット４と、上記天蓋３と送風機ユニット４とを連通する空気連絡通路７と、送風機ユニット４から屋外に廃気を排出するための排気通路８とを備えて構成する。添付図面に示す実施形態においては、換気装置１５に更に副物品収納部２２が備えてあって、上記天蓋上物品収納部５と副物品収納部２２とで、コンロ２上方空間を利用して物品を収納するコンロ上方物品収納部を構成している。
【００４５】
すなわち、添付図面に示す実施形態においては、コンロ２の直上方に配置される天蓋３上の左右方向の一部に天蓋上物品収納部５を配置し、天蓋上物品収納部５の上に送風機ユニット４を配置してこの部分を三層構造とし、更に、天蓋上物品収納部５及び送風機ユニット４に隣接して副物品収納部２２を配設してこの部分を二層構造としたもので、これらの構成要素よりなる換気装置１５が一体的に構成してある。
【００４６】
天蓋３は、平面視でコンロ２に設けたすべての発熱体１２を含めて覆う大きさのもので、図１に示すように、左右方向については、コンロ２の左右両端の各発熱体１２の外側端部間の寸法をＳ１とし、Ｓ１に対して法定寸法を左右それぞれに付加して天蓋３巾寸法Ｓ２が、Ｓ２>Ｓ１となるように構成している。図１に示す実施形態では、天蓋３の左右両端が、コンロ２が組みこまれるコンロ用キャビネット１ａの左右両端に正面視で上下方向に一致するように揃えてあり、全体としての意匠外観性が優れたものとなる。また、図２に示すように前後方向については、天蓋３の前端位置は、コンロ２の発熱体１２の前端からコンロ天板プレート１４の前端位置の間に、天蓋３の後端位置は、コンロ天板プレート１４の後端よりも後方の厨房装置６設置壁面に接して設定されている。
【００４７】
上記天蓋３の下面の高さは、床面４０からの高さＨが概ね１４００ｍｍ以上〜１６５０ｍｍ未満とし、成人の顔面位置となるよう配置される。実施形態では、１５００ｍｍ前後の高さとしており、成人女性の平均的な顔正面位置となるように設定している。なお、男女の身長の個人差を考慮しても、１４００ｍｍ以上１６５０ｍｍ未満の範囲に設定することで、概ね大多数の成人の顔正面に天蓋３が位置するようにすることができる。この場合、カウンター１３の上面もしくはコンロ天板プレート１４上面から６００ｍｍ以上〜７５０ｍｍ未満上方なるのが好ましい。
【００４８】
尚、特に、コンロ２や他の加熱調理機器を取り扱う際のカウンター１３の床面からの高さは一般的に使用者の身長に応じた作業姿勢の観点より、概ね８００ｍｍ〜９００ｍｍ前後の間で選択自在としており、このカウンター１３上面から前記に示す６００ｍｍ〜７５０ｍｍ前後の寸法を考慮して、天蓋３下面の高さは１４００ｍｍ以上〜１６５０ｍｍ未満として使用者の選択により決定される。
【００４９】
天蓋３の上には前述のように前方が開口する箱状体よりなる天蓋上物品収納部５と、前方が開口する箱状体よりなる副物品収納部２２とが左右方向に並列配置してあり、天蓋上物品収納部５の上端は、その上方の送風機ユニット４の下端近傍まで到り、副物品収納部２２の上端は天井面３０に到る又は天井面３０近くまで到る高さとなっている。
【００５０】
上記天蓋上物品収納部５の後方もしくは側方に天蓋３と送風機ユニット４とを連通する空気連絡通路７が設けてある。該空気連絡通路７は少なくとも内面が金属材料、外面は不燃材料で形成してあり、高温の廃気が流れる空気連絡通路７の周辺部材の火災安全性を高め、温度上昇を低減し、天蓋上物品収納部５の収納保管性を高めるようになっている。
【００５１】
図１乃至図３に示すように、天蓋上物品収納部５及び副物品収納部２２を構成する各箱状体の底板と天蓋３との間には隙間２６が形成してあり、また、箱状体の底板の前端と天蓋３の上面との間には前カバー２８が設けてあり、前カバー２８に上記隙間２６と外部空間とを連通する通気孔２７が設けてある。このように外気と連通する隙間２６を天蓋３と、天蓋３上に配置構成される物品収納部の底板との間に設けることで、天蓋３上面からの熱気が天蓋上物品収納部５あるいは副物品収納部２２側に伝わるのを防止している。また各箱状体の底板又は底板下面は不燃材で構成する。
【００５２】
図１乃至図６に示す実施形態では、天蓋上物品収納部５を構成する箱状体の背部に空気連絡通路７を設けた例が示してあり、この例では空気連絡通路７は前後方向の奥行き寸法が短く且つ左右方向の巾寸法が長い水平断面形状をしており、これにより十分な通気量を確保しながら天蓋上物品収納部５の奥行き寸法をできるだけ長くとることができるようにしている。また、上記空気連絡通路７の左右両側部には天蓋上物品収納部支持部材１７を設けている。
【００５３】
送風機ユニット４は上記空気連絡通路７を設けた箱状体により構成した天蓋上物品収納部５の上に配設してある。
【００５４】
上記副物品収納部２２の上部は天蓋上物品収納部５より少し上方に突出して送風機ユニット４の側方に隣接配置してあり、実施形態ではその上端が送風機ユニット４の上端に揃っている。もちろん、副物品収納部２２の高さが送風機ユニット４の上端よりも高いまたは低いものであってもよい。
【００５５】
送風機ユニット４は、添付図面に示す実施形態においては、チャンバー１８内に送風機１９を内装し、更に、送風機１９に排気出口２０を備えている。また、空気連絡通路７の上端開口がチャンバー１８内に開口している。
【００５６】
送風機ユニット４の排気出口２０には送風機ユニット４から屋外に到る排気通路８が接続される。
【００５７】
なお、副物品収納部２２は天蓋上物品収納部５よりも背の低いもの（つまり副物品収納部２２の上端が天蓋上物品収納部５の上端よりも低いもの）であってもよい。
【００５８】
また、上記実施形態では、天蓋３の上に、上面に送風機ユニット４を配置する天蓋上物品収納部５と、副物品収納部２２とを左右方向に並列配置し、天蓋上物品収納部５の左右方向の寸法と副物品収納部２２の左右方向の寸法の合計が天蓋３の左右方向の寸法と等しい例を示したが、天蓋上物品収納部５の左右方向の寸法と副物品収納部２２の左右方向の寸法の合計が天蓋３の左右方向の寸法より短くてもよい。
【００５９】
また、上記例では天蓋３の上に、上面に送風機ユニット４を配置する天蓋上物品収納部５と、副物品収納部２２とを左右方向に並列配置して、天蓋上物品収納部５と副物品収納部２２とで、コンロ２上方空間を利用して物品を収納するコンロ上方物品収納部を構成した例を示したが、天蓋３の上に、副物品収納部２２を配置することなく、上面に送風機ユニット４を配置する天蓋上物品収納部５のみを配置してもよい。この場合、天蓋３の上に配置する天蓋上物品収納部５の左右方向の寸法が、天蓋３の左右方向の寸法と同じであっても、又は短くてもよい。
【００６０】
天蓋上物品収納部５の左右方向の寸法が天蓋３の左右方向の寸法より短い場合、天蓋上物品収納部５は、正面視において天蓋３の左右方向の一端側、あるいは、中央部（第２の実施形態に示す）位置のいずれの位置に配置してもよい。
【００６１】
いずれにせよ本発明は、天蓋３の上に天蓋上物品収納部５を配置し、天蓋上物品収納部５の上に送風機ユニット４を配置して、上下三層構造となったものである。そして本発明は前述のように、天蓋３の高さを、床面４０から１４００ｍｍ〜１５００ｍｍ前後の成人の顔正面高さに位置するように設定して、従来に比べて天蓋３の配置位置を低くすることで、天蓋上物品収納部５の高さ寸法が拡大することで、天蓋上物品収納部５の収納容積を大きく確保することができ、また、使用者が天蓋３の上の天蓋上物品収納部５の下部への物品の出し入れを容易に行うことができ、収納作業利便性を向上し、加えて、従来例のように、送風機ユニット４上に余剰空間を生じさせることもなく、空間活用性は高い。
【００６２】
天蓋上物品収納部５及び副物品収納部２２にはそれぞれ前開口を遮蔽自在とする化粧板９が設けてある。図１乃至図６に示す実施形態において天蓋上物品収納部５を遮蔽自在とする化粧板９は天蓋上物品収納部５と送風機ユニット４の前面を一体的に隠蔽する構成となっている。このように天蓋上物品収納部５と送風機ユニット４を一体的に隠蔽する化粧板９を設けることで、コンロ２上方における意匠外観性を高めることができる。
【００６３】
なお、送風機ユニット４の前面（実施形態ではチャンバー１８の前面）は、点検口が設けてあり、該点検口を図２に示すように着脱自在な点検蓋２１で覆ってある。
【００６４】
従って、化粧板９を開けることで点検蓋２１を露出させ、点検蓋２１を取り外すことで天蓋上物品収納部５内に収納した物品を取り出すことなく送風機ユニット４の送風機１９等の保守、点検ができる。
【００６５】
もちろん、天蓋上物品収納部５の前開口のみを開閉自在な化粧板９で遮蔽し、送風機ユニット４の前面を遮蔽する別の化粧板と一体的に構成された点検蓋２１を露出するように着脱自在に取付けてもよい。
【００６６】
化粧板９は引き戸、開き戸、折り戸等種々の開閉形態のものが採用できるが、縦（上下）もしくは横（左右）方向への引き戸とするのが好ましい。
【００６７】
図１乃至図６に示す実施形態では化粧板９を横方向の引き戸により構成した例が示してある。このように化粧板９を横方向の引き戸で構成すると、化粧板９を開いた際に化粧板９が天蓋上物品収納部５や副物品収納部２２の前方に突出することがなく、前述のように天蓋上物品収納部５及び副物品収納部２２を天蓋３の上に配設して天蓋上物品収納部５及び副物品収納部２２の下端部がほぼ成人の顔正面に位置するような位置にしたにも係らず、化粧板９を開いた際に顔正面に向けて化粧板９が突出することがなく、天蓋上物品収納部５及び副物品収納部２２の使い勝手が向上する。
【００６８】
本実施形態では図１に示すように、天蓋３の下面の高さと隣接する吊戸棚１０の下面の高さを一致させた例を示している。天蓋３の下面の高さと隣接する吊戸棚１０の下面の高さを一致させることで、厨房装置６のコンロ上方空間全体の意匠外観性が優れたものとなる。
【００６９】
また、前述の天蓋３高さ位置の低減により、コンロ上の物品収納部の下端が全て従来に比べて低位置とすることができ、収納容積の拡大、高所への物品出し入れ作業性ともに厨房装置６として、大幅に性能向上したものとなる。
【００７０】
なお本発明においては、コンロ用キャビネット１ａの側方上方の吊戸棚１０の下面高さを、天蓋３の下面高さと一致させたものとしたが、天蓋３の下面高さに対して、隣接する吊戸棚１０の下面位置の高さは任意に設定されてもよい。
【００７１】
本実施形態においては、天蓋上物品収納部５が、天蓋３と送風機ユニット４とを連通する空気連絡通路７、もしくは送風機ユニット４と連通し、天蓋上物品収納部５外から天蓋上物品収納部５内を経て空気連絡通路７もしくは送風機ユニット４に到る通風構成を備えてある。
【００７２】
すなわち、図２に示す例では天蓋上物品収納部５と送風機ユニット４のチャンバー１８とを連通部２３で連通してあり、また、天蓋上物品収納部５と外部空間とを通気入口（図示せず）により連通している。通路入口としては例えば図示を省略しているが化粧板９にガラリを設けることで形成する。
【００７３】
そして、送風機１９を運転することで、天蓋３で捕集した廃気を、空気連絡通路７、送風機ユニット４のチャンバー１８、送風機１９、排気出口２０、排気通路８という経路を経て屋外に排出する際、天蓋上物品収納部５内の空気が連通部２３からチャンバー１８内に吸われ、廃気と共に屋外に排出される。これにより通気入口から外部の新鮮な空気が天蓋上物品収納部５内に供給され、天蓋上物品収納部５が換気されることになり、したがって、天蓋上物品収納部５内に臭いや熱がこもらないようにできる。
【００７４】
なお、副物品収納部２２も天蓋上物品収納部５と同様に上記のように、天蓋３と送風機ユニット４とを連通する空気連絡通路７、もしくは送風機ユニット４と連通し、副物品収納部２２外から副物品収納部２２内を経て空気連絡通路７もしくは送風機ユニット４に到る通風構成を備えてもよい。
【００７５】
コンロ２は前述のように調理台１の上面のカウンター１３の一部に設けるのであるが、図２、図４乃至図６に示すように、カウンター１３のコンロ２を設けた部分の手前側の部位は手前作業スペース１１となっており、コンロ２がこの手前作業スペース１１の奥側に位置している。つまり、カウンター１３上面のコンロ２を設けた部分においては、コンロ天板プレート１４の前端とカウンター１３の前端との間が手前作業スペース１１となっている。
【００７６】
このように手前作業スペース１１の奥側にコンロ２を設けることで、必然的にコンロ２に設けた発熱体１２もカウンター１３の奥側に位置することになる。
【００７７】
本実施形態においては、このように手前作業スペース１１を設け、さらに、平面視において天蓋３の前端位置がコンロ天板プレート１４の前端と発熱体１２の前端の間に位置することで（図２、図６参照）、天蓋３の前端をできるだけ奥側に位置させることができ、天蓋３が成人の顔正面の高さ位置となっていても、上記手前作業スペース１１で作業を行う際や、コンロ調理作業を行う際の前かがみ作業姿勢に対しても天蓋３が邪魔にならず、また、天蓋上物品収納部５及び副物品収納部２２への物品の収納、取出し作業は天蓋３の前端の突出が障害となることなく容易に行えることになる。
【００７８】
ここで、天蓋３の前端が天蓋上物品収納部５及び副物品収納部２２の化粧板９と前後方向において揃っていると厨房装置６全体としての意匠外観性が優れたものとなる。
【００７９】
もちろん、図２、図３に示すように、天蓋３の前端が化粧板９よりも少し前方に突出していてもよいが、この場合も、前述のように、手前作業スペース１１を設けることで奥側にずれて位置する発熱体１２の前端に、天蓋３の前端が平面視で一致又は天蓋３の前端が発熱体１２全体より少し前に位置するようにすることで、天蓋３の前方への突出量が少なくなるので、厨房装置６全体としての意匠外観性が優れたものとなる。
【００８０】
次に、図７乃至図１２に基づいて本発明の他の実施形態を説明する。
【００８１】
本実施形態は前述の図１乃至図６に示す実施形態と基本的構成は同じであり、同じ構成の説明は重複するので省略し、異なる構成についてのみ説明する。
【００８２】
本実施形態においては、図７、図１０乃至図１２に示すように、調理台１の上面におけるコンロ２が露出する部分の側方に加熱調理機器２５を載置可能とする部分を設け、コンロ２上方に位置する天蓋３の側部を、上記調理台１の上面の加熱調理機器２５を載置可能とした部分の上方まで延長した構成とすることに特徴がある。
【００８３】
すなわち、調理台１上面のカウンター１３におけるコンロ２の露出する部分であるコンロ天板プレート１４の側方に隣接した部位が、炊飯器、湯沸しポット、オーブン等の加熱調理機器２５を載置することを可能とする加熱調理機器載置可能部１３ａとなっており、コンロ２上方に位置する天蓋３の側部をこの加熱調理機器載置可能部１３ａの上方まで延長している。この天蓋３の側部に延長した部分が側部延長天蓋部３ａとなっており、図７に示す実施形態では、天蓋３の側部が、コンロ用キャビネット１ａの側端の上方位置から、該コンロ用キャビネット１ａの側方に隣接するキャビネット１ｂの左右方向の所定位置の上方に到るように側部延長天蓋部３ａを延長している。
【００８４】
本実施形態においては、図７、図９乃至図１１に示すように上記天蓋３の側部延長天蓋部３ａの上には更に副物品収納部２２が配設してあって、該副物品収納部２２の下面が上記側部延長天蓋部３ａにより覆ってある。つまり、本実施形態では、換気装置１５が、側部延長天蓋部３ａを備えた天蓋３と、送風機ユニット４と、天蓋上物品収納部５と、天蓋上物品収納部５の一方の側方に配置される副物品収納部２２と、天蓋上物品収納部５の他方の側方に配置される副物品収納部２２と、上記天蓋３と送風機ユニット４とを連通する空気連絡通路７と、送風機ユニット４から屋外に廃気を排出するための排気通路８を備えることで構成してあって、これらの構成要素よりなる換気装置１５を一体的に構成している。
【００８５】
もちろん、本発明において、上記のように天蓋３の側部を延長して側部延長天蓋部３ａを設けたものにおいて、側部延長天蓋部３ａの上に副物品収納部２２を設けない場合であってもよい。
【００８６】
また、側部延長天蓋部３ａを設けた天蓋３の上に天蓋上物品収納部５のみを設けたものであってもよい。
【００８７】
また、側部延長天蓋部３ａを設けた天蓋３の上に天蓋上物品収納部５を設けるに当たり、上に送風機ユニット４を配置する天蓋上物品収納部５の左右方向の一部が側部延長天蓋部３ａ上に跨って位置するようにしてもよい。
【００８８】
そして、本実施形態においては、上記のようにコンロ２上方に位置する天蓋３の側部を、カウンター１３におけるコンロ２が露出する部分の側方の加熱調理機器載置可能部１３ａの上方まで延長しているので、前述の実施形態と同様に、コンロ２部分で発生した廃気を天蓋３で捕集して送風機ユニット４により屋外に排出できるのはもちろんのこと、天蓋３の側方に延長された側部延長天蓋部３ａにより、側部延長天蓋部３ａの真下の加熱調理機器載置可能部１３ａに炊飯器、湯沸しポット、オーブン等の加熱調理機器２５を設置して使用した場合、加熱調理機器２５で発生した熱気や水蒸気を捕集して送風機ユニット４を経て屋外に直接排出することができる。この場合、更に、天蓋３が上記のようにコンロ天板プレート１４から６００ｍｍ〜７５０ｍｍ上方位置となっているので、加熱調理機器２５からの熱気や水蒸気を天蓋３に集めて捕集するのに十分な上方距離が担保されることになる。
【００８９】
したがって、カウンター１３のコンロ２の側方に隣接する加熱調理機器載置可能部１３ａ上に載置した炊飯器、湯沸しポット、オーブン等の加熱調理機器２５から発生する熱気や水蒸気で吊戸棚１０の下面の温度上昇や、水蒸気による結露の付着といった現象を防止できる。
【００９０】
そして図７、図８に示すように、天蓋上物品収納部５を覆う化粧板９は上下方向の引き戸となっており、化粧板９を上方に引き上げることで天蓋上物品収納部５を開放すると共に、送風機ユニット４の前面を覆い、化粧板９を下方に引き下げることで天蓋上物品収納部５を閉じると共に、送風機ユニット４の前面を露出させる。
【００９１】
この場合、送風機ユニット４のチャンバー１８前面を化粧面としたり、上記天蓋上物品収納部５の前開口を遮蔽自在とした上下方向の引き戸よりなる化粧板９とは別の化粧板を取付けることで、引き戸よりなる化粧板９を下方に引き下げた際に露出する送風機ユニット４の前面の外観が良くなる。また、送風機ユニット４のチャンバー１８の前面に点検口を設け、化粧板よりなる点検蓋２１を着脱自在にチャンバー１８の前面に取付けることで点検口を隠すようにしてもよい。この場合は、引き戸よりなる化粧板９を下方に引き下げた際に別の化粧板よりなる点検蓋２１が露出するので、簡単に点検蓋２１を外すことができる。
【００９２】
また、本実施形態においては、図１０、図１１に示すように、複数の副物品収納部２２の前開口はそれぞれ一枚の開き戸よりなる化粧板９により前開口を覆ってある。
【００９３】
上記天蓋３の側部延長天蓋部３ａが下面を覆っている副物品収納部２２の隣には、図７に示すように吊戸棚１０が隣接して配設されるものであり、この吊戸棚１０の下面は天蓋３の下面と高さが一致していて、厨房装置６全体としての統一感を現出して意匠外観性が優れたものとしている。
【００９４】
なお、本発明において、天蓋上物品収納部５の上に配置される送風機ユニット４は、必ずしも左右方向の寸法が天蓋上物品収納部５の左右方向の寸法と同じであるもののみに限定されず、両者の左右方向の寸法が異なっていてもよい。
【符号の説明】
【００９５】
１  調理台
２  コンロ
３  天蓋
４  送風機ユニット
５  天蓋上物品収納部
６  厨房装置
７  空気連絡通路
８  排気通路
９  化粧板
１０  吊戸棚
１１  手前作業スペース
１２  発熱体
【図１】
2010276222.tif 000003
【図２】
2010276222.tif 000004
【図３】
2010276222.tif 000005
【図４】
2010276222.tif 000006
【図５】
2010276222.tif 000007
【図６】
2010276222.tif 000008
【図７】
2010276222.tif 000009
【図８】
2010276222.tif 000010
【図９】
2010276222.tif 000011
【図１０】
2010276222.tif 000012
【図１１】
2010276222.tif 000013
【図１２】
2010276222.tif 000014